【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
編組保護スリーブであって、
前記スリーブの長手方向軸に沿って延在する壁を含み、前記壁は、前記スリーブの内面および外面を形成する複数の編組糸を含み、前記内面は内部空胴の境界を示し、前記外面は周囲環境に露出され、前記編組糸はＸ／Ｙの編組パターンで互いに編組まれ、ＸおよびＹは互いに異なる数値である、編組保護スリーブ。
【請求項２】
複数の挿入糸をさらに含み、前記挿入糸は、前記長手方向軸に実質的に平行に延在しており、前記編組糸と織り交ぜられている、請求項１に記載の編組保護スリーブ。
【請求項３】
前記挿入糸は、前記内部空胴に露出され、前記外面によって周囲環境から実質的に隠されている、請求項２に記載の編組保護スリーブ。
【請求項４】
前記挿入糸は、周囲環境に露出され、前記内部空胴から実質的に隠されている、請求項２に記載の編組保護スリーブ。
【請求項５】
前記挿入糸の少なくとも数本は、前記内部空胴に露出され、前記外面によって周囲環境から実質的に隠されており、前記挿入糸の少なくとも数本は、周囲環境に露出され、前記内部空胴から実質的に隠されている、請求項２に記載の編組保護スリーブ。
【請求項６】
前記挿入糸の少なくとも数本は、低融点ポリマー材料である、請求項２に記載の編組保護スリーブ。
【請求項７】
前記挿入糸の少なくとも数本は、多繊維である、請求項２に記載の編組保護スリーブ。
【請求項８】
前記挿入糸の少なくとも数本は、単繊維である、請求項２に記載の編組保護スリーブ。
【請求項９】
前記編組糸は、単繊維および多繊維として提供される、請求項１に記載の編組保護スリーブ。
【請求項１０】
ＸおよびＹは、奇数の数値である、請求項１に記載の編組保護スリーブ。
【請求項１１】
前記数値のうちの大きい方は多繊維として提供され、数値のうちの小さい方は単繊維として提供される、請求項１０に記載の編組保護スリーブ。
【請求項１２】
Ｘは数値３を有し、Ｙは数値１を有する、請求項１１に記載の編組保護スリーブ。
【請求項１３】
ＸおよびＹは、偶数の数値である、請求項１に記載の編組保護スリーブ。
【請求項１４】
前記数値のうちの大きい方は多繊維として提供され、数値のうちの小さい方は単繊維として提供される、請求項１３に記載の編組保護スリーブ。
【請求項１５】
Ｘは数値６を有し、Ｙは数値２を有する、請求項１４に記載の編組保護スリーブ。
【請求項１６】
ＸおよびＹは、互いに倍数である数値を有する、請求項１に記載の編組保護スリーブ。
【請求項１７】
Ｘは偶数の数値を有し、Ｙは奇数の数値を有する、請求項１に記載の編組保護スリーブ。
【請求項１８】
前記壁は、周方向に連続する、継ぎ目がない壁である、請求項１に記載の編組保護スリーブ。
【請求項１９】
前記壁は、前記長手方向軸に実質的に平行に延在する両縁を有し、前記両縁は、互いに重なり合う関係となるように付勢される、請求項１に記載の編組保護スリーブ。
【請求項２０】
布保護スリーブを作成する方法であって、
長手方向軸に沿って延在する、Χ／Ｙの編組パターンを有する壁を編組むことを含み、壁の内面は内部空胴の境界を示し、壁の外面は周囲環境に露出され、Ｘ／Ｙの編組パターンのＸおよびＹの値は互いに異なる数値である、方法。
【請求項２１】
長手方向軸に実質的に平行に延在する複数の糸を、編組糸と織り交ぜることをさらに含む、請求項２０に記載の方法。
【請求項２２】
織り交ぜられた糸を内部空胴に露出し、織り交ぜられた糸を周囲環境への露出から実質的に隠すことをさらに含む、請求項２１に記載の方法。
【請求項２３】
織り交ぜられた糸を周囲環境に露出し、織り交ぜられた糸を内部空胴への露出から実質的に隠すことをさらに含む、請求項２１に記載の方法。
【請求項２４】
織り交ぜられた糸の少なくとも数本を内部空胴に露出し、それらを周囲環境への露出から実質的に隠すことと、織り交ぜられた糸の少なくとも数本を周囲環境に露出し、それらを内部空胴への露出から実質的に隠すこととをさらに含む、請求項２１に記載の方法。
【請求項２５】
織り交ぜられた糸の少なくとも数本を、低融点ポリマー材料として提供することをさらに含む、請求項２１に記載の方法。
【請求項２６】
織り交ぜられた糸の少なくとも数本を、多繊維として提供することをさらに含む、請求項２１に記載の方法。
【請求項２７】
織り交ぜられた糸の少なくとも数本を、単繊維として提供することをさらに含む、請求項２１に記載の方法。
【請求項２８】
編組糸を、単繊維および多繊維として提供することをさらに含む、請求項２０に記載の方法。
【請求項２９】
数値ＸおよびＹを、奇数の数値として設定することをさらに含む、請求項２０に記載の方法。
【請求項３０】
数値ＸおよびＹのうちの大きい方で使用される糸を多繊維として提供し、数値ＸおよびＹのうちの小さい方で使用される糸を単繊維として提供することをさらに含む、請求項２９に記載の方法。
【請求項３１】
数値３を有する値Ｘを設定し、数値１を有する値Ｙを設定することをさらに含む、請求項３０に記載の方法。
【請求項３２】
数値ＸおよびＹを、偶数の数値として設定することをさらに含む、請求項２０に記載の方法。
【請求項３３】
数値ＸおよびＹのうちの大きい方で使用される糸を多繊維として提供し、数値ＸおよびＹのうちの小さい方で使用される糸を単繊維として提供することをさらに含む、請求項３２に記載の方法。
【請求項３４】
数値６を有する値Ｘを設定し、数値２を有する値Ｙを設定することをさらに含む、請求項３２に記載の方法。
【請求項３５】
壁を、周方向に連続する、継ぎ目がない壁として編組むことをさらに含む、請求項２０に記載の方法。
【請求項３６】
長手方向軸に実質的に平行に延在する両縁を有する壁を、両端で編組むことをさらに含む、請求項２０に記載の方法。
【請求項３７】
両縁が、付勢されて互いに重なり合う関係となるように、壁を熱形成することをさらに含む、請求項３６に記載の方法。
【手続補正２】
【補正対象書類名】明細書
【補正対象項目名】００２６
【補正方法】変更
【補正の内容】
【００２６】
図２および図２Ａに示すように、壁１２’が周方向に連続しない壁として形成される場合、壁１２’は、長さ方向に対向して延在する両側を有し、それらは縁とも呼ばれ、それぞれ内縁２８および外縁３０に対応する。両縁２８、３０は、中心軸１４に平行な、または実質的に平行な関係で長さ方向に延在し、両端１６、１８で終わる。壁１２’を編組むために使用される糸２０の少なくとも数本は、摂氏約２００〜２２５度の温度で熱硬化可能である、たとえばポリエチレンテレフタレート（ＰＥＴ）または硫化ポリフェニレン（ＰＰＳ）などの熱硬化性ポリマー糸として提供される。外部から印加される力がほぼない状態で熱形成されると、壁１２’は、熱硬化糸２０によって、管状構成となるように付勢される。そのため、外縁３０は、内縁２８を越えて延在して内縁２８と重なり合い、空胴２６を周方向に完全に包囲し、このため、壁１２’は、壁１２’の全周の周りで、空胴２６に含まれる細長い部材１７に、外部要素からの保護を提供する。所望される場合、縁２８、３０は、空胴２６を少なくとも部分的に開いて露出するように、外部から印加される力を受けて、互いから遠ざかるように容易に伸張可能である。したがって、細長い部材１７は容易に、組立て中に空胴２６内に配置され、または点検中に空胴２６から除去され得る。外部から印加される力を解除すると、縁２８、３０は、熱硬化糸２０によって付与された付勢を受けて、それらの弛緩した重なり合う位置に自動的に戻る。
【手続補正３】
【補正対象書類名】明細書
【補正対象項目名】００３０
【補正方法】変更
【補正の内容】
【００３０】
図５Ａおよび図５Ｂを参照して、スリーブ１０、１０’を作成するために使用される編組パターンの別の局面によれば、糸２０は、Ｘが偶数の数値、Ｙが奇数の数値を有して編組可能であり、一例として４／１の編組パターンとして示されている。したがって、前述のＸ／Ｙの編組パターンを参照すると、Ｘは、並んだ４本の糸に対応する数値４を有し、Ｙは、１本の糸に対応する数値１を有する。